(57)【特許請求の範囲】
【請求項１】
水道本管（Ｐ）に設置されて使われなくなった甲形分水栓（２０）の周囲を覆って保護する甲形分水栓用保護具（１）であって、前記甲形分水栓用保護具（１）は、水道本管（Ｐ）にねじ込まれて使われなくなった甲形分水栓（２０）の下胴（２１）の周囲に配置され、水道本管（Ｐ）の外周に固定される一対のフランジ部（３ｂ）を備えるサドル（２）と、水道本管（Ｐ）を挟んでサドル（２）と対向状に配置され、水道本管（Ｐ）の外周に固定される一対のフランジ部（３ｂ）を備えるバンド（３）と、サドル（２）に設けられ、甲形分水栓（２０）の下胴（２１）を覆って保護する保護用袋（４）と、バンド（３）とサドル（２）を水道本管（Ｐ）に連結固定するボルト（５ａ）及びナット（５ｂ）から成る緊締具（５）とを備えており、前記サドル（２）の一対のフランジ部（２ｂ）及びバンド（３）の一対のフランジ部（３ｂ）に、緊締具（５）のボルト（５ａ）が挿通される取り付け穴（２ｆ），（３ｃ）をそれぞれ形成し、前記バンド（３）の一対のフランジ部（３ｂ）の各取り付け穴（３ｃ）の周囲で且つサドル（２）に対向する面と反対側の面に、ボルト（５ａ）の回り止めを施すための一対の突起部（３ｄ）を対向状に設けたことを特徴とする甲形分水栓用保護具。
【請求項２】
前記サドル（２）の水道本管（Ｐ）に対向する面に、甲形分水栓（２０）の下胴（２１）の周囲に位置してサドル（２）と水道本管（Ｐ）との間をシールする環状のサドル用パッキン（６）を設け、また、前記保護用袋（４）は、筒状に形成されてサドル（２）の中央部に甲形分水７９５４００７栓（２０）の下胴（２１）の周囲を囲う状態で螺着されており、保護用袋（４）の上端部に、保護用袋（４）の上端部開口を閉塞する閉栓キャップ（７）を螺着したことを特徴とする請求項１に記載の甲形分水栓用保護具。
【請求項３】
前記保護用袋（４）の上端面と閉栓キャップ（７）との間にキャップ用パッキン（８）を介設したことを特徴とする請求項２に記載の甲形分水栓用保護具。
【請求項４】
前記保護用袋（４）とサドル（２）とを接着剤により接着したことを特徴とする請求項２に記載の甲形分水栓用保護具。
【発明の詳細な説明】
【技術分野】
【０００１】
本発明は、水道本管から各家庭等に水道水を導く給水管を分岐するのに用いる甲形分水栓が給水管の入替工事や甲形分水栓の老朽化により使われなくなった場合に使用するものであり、新しいサドル付分水栓を水道本管に新たに設置する際に、水道本管に残している甲形分水栓の下胴を覆い、甲形分水栓の下胴に接触することなくサドル付分水栓を設置することができると共に、甲形分水栓の下胴が緩んでも水漏れが発生しないようにした甲形分水栓用保護具に関するものである。
【背景技術】
【０００２】
従来、水道本管から各家庭や事業所等に水道水を導く給水管を分岐させる場合、弁棒と弁体とが一体となったねじ棒状の止めこまを備えた甲形分水栓が使用されて来た（例えば、特許文献１及び特許文献２参照）。
【０００３】
前記甲形分水栓２０は、図７に示す如く、水道本管Ｐに螺着されて水道本管Ｐ内に連通する筒状の下胴２１と、下胴２１の上端部に螺着されて給水管（図示省略）が接続される筒状の分岐部２２ａを備えた筒状の上胴２２と、下胴２１及び上胴２２内に上下動自在にねじ込まれた止めこま２３と、上胴２２の上端部に螺着されて止めこま２３を抜け止めする止めナット２４と、下胴２１と上胴２２との間及び上胴２２と止めナット２４との間をそれぞれシールするガスケット２５とから構成されている。
【０００４】
尚、図７において、２６は給水管が接続されるユニオンソケット、２７はユニオンソケット２６を上胴２２の分岐部２２ａに接続する袋ナット、２８はユニオンソケット２６と上胴２２の分岐部２２ａとの間をシールするガスケットである。
【０００５】
ところで、給水管の入替工事や甲形分水栓２０が老朽化した場合等、水道本管Ｐの別の場所に新しい分水栓を新たに設置し、給水ルートを新しい分水栓を経由するルートに切替えることが行われている。近年、前記分水栓には、水道本管Ｐから給水管を分岐する際に不断水で分岐できるサドル付分水栓（図示省略）が使用されている。
【０００６】
給水管の入替工事等により古い甲形分水栓２０が使わなくなった場合には、先ず、工具（図示省略）によって上胴２２内に位置する止めこま２３を下胴２１の位置まで下降させて下胴２１内を閉塞する（図８（ａ）参照）。次に、袋ナット２７を緩める方向へ回転操作して上胴２２からユニオンソケット２７及び給水管等を取り外す（図８（ｂ）参照）。その後、下胴２１から上胴２２を取り外して下胴２１内の止めこま２３で止水すると共に、下胴２１に止めナット２４を螺着して止めこま２３を抜け止めし、この状態のままで甲形分水栓２０を埋め殺しの状態にしていた（図８（ｃ）参照）。即ち、使わなくなった甲形分水栓２０は、下胴２１を水道本管Ｐに残し、水道本管Ｐの取水口を下胴２１内の止めこま２３で塞ぎ、この状態で放置されていた。
【０００７】
そして、新たに設置する新しいサドル付分水栓は、甲形分水栓２０の下胴２１の近くに設置するようにしていた。
【０００８】
しかし、上述した甲形分水栓２０は、その下胴２１が鋳鉄管製の水道本管Ｐにねじ込まれているため、経年変化や外力の作用により緩むことがあり、下胴２１が水道本管Ｐから非常に取れ易くなっている。その結果、甲形分水栓２０をそのままの状態で放置するには極めて危険であり、水漏れが発生する原因となる。特に、水道本管Ｐに新しいサドル付分水栓を新たに設置する際に、サドル付分水栓が水道本管Ｐに残っている甲形分水栓２０の下胴２１に接触し易くなり、下胴２１が水道本管Ｐから取れ易くなる。
【０００９】
この問題を解決するには、使わなくなった甲形分水栓２０は、出来るだけ水道本管Ｐから撤去するのが望ましい。
【００１０】
しかし、この場合には、水道本管Ｐを一時断水させて甲形分水栓２０の下胴２１を水道本管Ｐから取り外すと共に、水道本管Ｐの取水口を止水プラグ等により閉塞しなければならず、各家庭や事業所等が一時的に断水すると言う別の問題が発生することになる。
【先行技術文献】
【特許文献】
【００１１】
【特許文献１】特開２００３−１７６８９６号公報
【特許文献２】特開２００３−３１４７７８号公報
【発明の概要】
【発明が解決しようとする課題】
【００１２】
本発明は、このような問題点に鑑みて為されたものであり、その目的は、新しいサドル付分水栓を水道本管に新たに設置する際に、水道本管に残している甲形分水栓の下胴を覆い、甲形分水栓の下胴に接触することなくサドル付分水栓を設置することができると共に、甲形分水栓の下胴が緩んでも水漏れが発生しないようにした甲形分水栓用保護具を提供することにある。
【課題を解決するための手段】
【００１３】
上記目的を達成するために、本発明に係る甲形分水栓用保護具は、水道本管に設置されて使われなくなった甲形分水栓の周囲を覆って保護する甲形分水栓用保護具であって、前記甲形分水栓用保護具は、水道本管にねじ込まれて使われなくなった甲形分水栓の下胴の周囲に配置され、水道本管の外周に固定される一対のフランジ部を備えるサドルと、水道本管を挟んでサドルと対向状に配置され、水道本管の外周に固定される一対のフランジ部を備えるバンドと、サドルに設けられ、甲形分水栓の下胴を覆って保護する保護用袋と、バンドとサドルを水道本管に連結固定するボルト及びナットから成る緊締具とを備えており、前記サドルの一対のフランジ部及びバンドの一対のフランジ部に、緊締具のボルトが挿通される取り付け穴をそれぞれ形成し、前記バンドの一対のフランジ部の各取り付け穴の周囲で且つサドルに対向する面と反対側の面に、ボルトの回り止めを施すための一対の突起部を対向状に設けたことに特徴がある。
【００１４】
前記サドルの水道本管に対向する面に、甲形分水栓の下胴の周囲に位置してサドルと水道本管との間をシールする環状のサドル用パッキンを設け、また、前記保護用袋は、筒状に形成されてサドルの中央部に甲形分水栓の下胴の周囲を囲う状態で螺着されており、保護用袋の上端部に、保護用袋の上端部開口を閉塞する閉栓キャップを螺着することが好ましい。
【００１５】
前記保護用袋の上端面と閉栓キャップとの間にキャップ用パッキンを介設することが好ましい。
【００１６】
前記保護用袋とサドルとを接着剤により接着することが好ましい。
【発明の効果】
【００１７】
本発明に係る甲形分水栓用保護具は、水道本管にねじ込まれて使われなくなった甲形分水栓の下胴の周囲に配置され、水道本管の外周に固定されるサドルと、水道本管を挟んでサドルと対向状に配置され、水道本管の外周に固定されるバンドと、サドルに設けられ、甲形分水栓の下胴を覆って保護する保護用袋と、バンドとサドルを連結固定する緊締具とを備え、給水管の入替工事や甲形分水栓の老朽化により甲形分水栓を使わなくなった場合に、サドルとバンドと緊締具を用いて水道本管に取り付け、保護用袋で水道本管に残している甲形分水栓の下胴を覆って保護しているため、甲形分水栓の下胴近くの水道本管に新しいサドル付分水栓を新たに設置する際に、甲形分水栓の下胴に接触することなくサドル付分水栓を設置することができ、甲形分水栓の下胴が外力により取れるのを防止することができる。
【００１８】
本発明に係る甲形分水栓用保護具は、サドルと水道本管との間を甲形分水栓の下胴の周囲に位置する環状のサドル用パッキンでシールすると共に、筒状の保護用袋の上端部に、保護用袋の上端部開口を閉塞する閉栓キャップを螺着しているため、甲形分水栓の下胴が緩んで水道水が漏れても外部へ流れ出ると言うことがなく、水漏れを防止することができる。
【００１９】
本発明に係る甲形分水栓用保護具は、保護用袋の上端面と閉栓キャップとの間にキャップ用パッキンを介設しているため、保護用袋内に充満した水道水が外部へ洩れるのをより確実に防止することができる。
【００２０】
本発明に係る甲形分水栓用保護具は、保護用袋とサドルとを接着剤により接着しているため、保護用袋が緩むのを防止することができる。
【図面の簡単な説明】
【００２１】
【図１】本発明の一実施形態に係る甲形分水栓用保護具の正面図である。
【図２】甲形分水栓用保護具の側面図である。
【図３】甲形分水栓用保護具の平面図である。
【図４】甲形分水栓用保護具の底面図である。
【図５】甲形分水栓用保護具の縦断正面図である。
【図６】甲形分水栓用保護具を水道本管へ設置する状態を示す説明図である。
【図７】甲形分水栓の縦断正面図である。
【図８】甲形分水栓を止水し、水道本管に放置する場合の説明図である。
【発明を実施するための形態】
【００２２】
以下、本発明の一実施形態を図面に基づいて詳細に説明する。
図１〜図６は本発明の実施形態に係る甲形分水栓用保護具１を示し、当該甲形分水栓用保護具１は、水道本管Ｐに甲形分水栓を介して分岐状に接続された給水管の入替工事や水道本管Ｐに設置された甲形分水栓の老朽化により甲形分水栓を使わなくなった場合等に使用するものであり、新しいサドル付分水栓（図示省略）を水道本管Ｐに新たに設置する際に、水道本管Ｐに残している甲形分水栓２０の下胴２１の周囲をシールした状態で覆い、甲形分水栓２０の下胴２１に接触することなくサドル付分水栓を設置することができると共に、甲形分水栓２０の下胴２１が緩んでも水漏れが発生しないようにしたものである。
【００２３】
即ち、前記甲形分水栓用保護具１は、図５に示す如く、水道本管Ｐに残している甲形分水栓２０の下胴２１の周囲に配置され、水道本管Ｐの外周に固定されるサドル２と、水道本管Ｐを挟んでサドル２と対向状に配置され、水道本管Ｐの外周に固定されるバンド３と、サドル２に設けられ、甲形分水栓２０の下胴２１の周囲を覆って保護する保護用袋４と、バンド３とサドル２を水道本管Ｐに連結固定する緊締具５と、サドル２の水道本管Ｐに対向する面に設けられ、甲形分水栓２０の下胴２１の周囲に位置してサドル２と水道本管Ｐとの間をシールする環状のサドル用パッキン６と、保護用袋４の上端部に螺着され、保護用袋４の上端部開口を閉塞する閉栓キャップ７と、保護用袋４の上端面と閉栓キャップ７との間に介設したキャップ用パッキン８とを備えている。
【００２４】
具体的には、前記サドル２は、鋳鉄により形成されており、水道本管Ｐの外周面に沿うように形成された略半円状の円弧部２ａと、円弧部２ａの両端に連設され、水道本管Ｐの直径方向へ突出する一対のフランジ部２ｂと、円弧部２ａの中央部に連設され、甲形分水栓２０の下胴２１が挿通される環状の台座部２ｃとを備えている。
【００２５】
また、サドル２の台座部２ｃの下端部内周面には、サドル用パッキン６が嵌合される環状の段部２ｄが形成されていると共に、台座部２ｃの上端部内周面には、保護用袋４が螺着される雌ネジ２ｅが形成されている。
【００２６】
更に、サドル２の一対のフランジ部２ｂには、緊締具５のボルト５ａが挿通される複数の取り付け穴２ｆが形成されている。
【００２７】
前記バンド３は、サドル２と同じ鋳鉄により形成されており、水道本管Ｐの外周面に沿うように形成された略半円状の円弧部３ａと、円弧部３ａの両端に連設され、水道本管Ｐの直径方向へ突出する一対のフランジ部３ｂとを備えている。
【００２８】
また、バンド３の一対のフランジ部３ｂには、サドル２のフランジ部２ｂに形成した取り付け穴２ｆに合致し、緊締具５のボルト５ａが挿通される複数の取り付け穴３ｃが形成されている。
【００２９】
更に、一対のフランジ部３ｂの各取り付け穴３ｃの周囲で且つサドル２に対向する面と反対側の面には、一対の突起部３ｄが対向する状態でそれぞれ設けられている。この突起部３ｄは、緊締具５のボルト５ａの回り止めを施すために設けられている。
【００３０】
尚、上記の実施形態においては、サドル２及びバンド３は、何れも鋳鉄により形成したが、他の実施形態においては、ステンレス鋼等鉄系、アルミ合金や銅合金の非鉄系及び樹脂材により形成しても良い。
【００３１】
前記保護用袋４は、黄銅や砲金等の金属材により筒状に形成されており、保護用袋４の下端部外周面には、サドル２の台座部２ｃの雌ネジ２ｅに螺着される雄ネジ４ａが形成されていると共に、保護用袋４の上端部外周面には、閉栓キャップ７が螺着される雄ネジ４ｂが形成されている。
【００３２】
また、保護用袋４は、甲形分水栓２０の下胴２１の周囲を完全に覆う高さに形成されており、サドル２の台座部２ｃに螺着されて接着剤（二液製エポキシ樹脂接着剤）により接着固定されている。
【００３３】
尚、上記の実施形態においては、サドル２と保護用袋４とを別体に形成し、サドル２の台座部２ｃに保護用袋４を螺着するようにしたが、他の実施形態においては、サドル２と保護用袋４を一体的に形成するようにしても良い。
【００３４】
前記緊締具５は、水道本管Ｐを挟んで対向状に配置されたサドル２とバンド３の取り付け穴２ｆ，３ｃに挿通されるステンレス材製のボルト５ａと、ボルト５ａに螺着されるステンレス材製のナット５ｂとから成り、水道本管Ｐを挟んで対向状に配置したサドル２とバンド３の取り付け穴２ｆ，３ｃにボルト５ａを挿通し、当該ボルト５ａに螺着したナット５ｂを締め付けることによって、バンド３とサドル２を水道本管Ｐに連結固定することができる。
【００３５】
尚、サドル２及びバンド３とボルト５ａ及びナット５ｂとは、異種金属であるため、異種金属の接触により電位差を生じて電流が発生し、この電流によって腐食を招く恐れがある。そのため、サドル２及びバンド３の各取り付け穴２ｆ，３ｃの内周面と各ボルト５ａの外周面との間には、ポリカーボネート製の絶縁材により形成された筒状の絶縁体９を介設し、サドル２及びバンド３とボルト５ａ及びナット５ｂとを非接触状態にしている。
【００３６】
前記サドル用パッキン６は、ＮＢＲ等の合成ゴムにより環状に形成されており、サドル２の台座部２ｃに形成した環状の段部２ｄに嵌合されている。このサドル用パッキン６は、水道本管Ｐに残っている甲形分水栓２０の下胴２１の周囲に位置して水道本管Ｐの外周面に密着するようになっている。
【００３７】
前記閉栓キャップ７は、青銅等の金属材により形成されており、筒状部分の下端部内周面には、保護用袋４の上端部外周面に形成した雄ネジ４ｂに螺着される雌ネジ７ａが形成されている。この閉栓キャップ７の天板部と保護用袋４の上端面との間には、ＮＢＲ等の合成ゴムにより円盤状に形成されたキャップ用パッキン８が介設され、閉栓キャップ７と保護用袋４との間をシールしている。
【００３８】
尚、図５において、１０はＯリング、１１は座金である。
【００３９】
次に、上述した甲形分水栓用保護具１を用いて給水管の入替工事の際に水道本管Ｐに残している甲形分水栓２０の下胴２１を保護する場合について説明する。
【００４０】
先ず、水道本管Ｐに残っている甲形分水栓２０の下胴２１に保護用袋４及びサドル用パッキン６を設けたサドル２を被せ、サドル２の保護用袋４内に下胴２１を挿入すると共に、サドル２の円弧部２ａを水道本管Ｐの外周面に当接させる（図６（ａ）参照）。
【００４１】
次に、バンド３をサドル２に対向するように配置し、サドル２とバンド３とで水道本管Ｐを挟み、この状態でサドル２とバンド３の取り付け穴２ｆ，３ｃに緊締具５のボルト５ａを挿通する（図６（ｂ）参照）。このとき、サドル２とバンド３の取り付け穴２ｆ，３ｃの内周面とボルト５ａの外周面との間には、筒状の絶縁体９を介設する。
【００４２】
その後、ボルト５ａにナット５ｂを螺着してナット５ｂを締め付ける（図６（ｃ）参照）。これにより、サドル２とバンド３は、水道本管Ｐを挟持し、水道本管Ｐに連結固定されることになる。このとき、サドル２と水道本管Ｐとの間が環状のサドル用パッキン６によりシールされる。
【００４３】
最後に、保護用袋４の上端面にキャップ用パッキン８を載せ、閉栓キャップ７を保護用袋４の上端部に締め付けて保護用袋４を密封状態にする（図６（ｄ）参照）。
【００４４】
前記甲形分水栓用保護具１は、給水管の入替工事や甲形分水栓の老朽化により甲形分水栓が使われなくなった場合に、サドル２とバンド３と緊締具５を用いて水道本管Ｐに取り付け、保護用袋４で水道本管Ｐに残している甲形分水栓２０の下胴２１を覆って保護しているため、甲形分水栓２０の下胴２１近くの水道本管Ｐに新しいサドル２付分水栓を新たに設置する際に、甲形分水栓２０の下胴２１に接触することなくサドル付分水栓を設置することができ、甲形分水栓２０の下胴２１が外力により取れるのを防止することができる。
【００４５】
また、この甲形分水栓用保護具１は、サドル２と水道本管Ｐとの間を甲形分水栓２０の下胴２１の周囲に位置する環状のサドル用パッキン６でシールすると共に、筒状の保護用袋４の上端部に、保護用袋４の上端部開口を閉塞する閉栓キャップ７を螺着しているため、甲形分水栓２０の下胴２１が緩んで水道水が漏れても外部へ流れ出ると言うことがなく、水漏れを防止することができる。
【００４６】
更に、この甲形分水栓用保護具１は、保護用袋４の端面と閉栓キャップ７との間にキャップ用パッキン８を介設しているため、保護用袋４内に充満した水道水が外部へ洩れるのを確実に防止することができる。
【００４７】
加えて、この甲形分水栓用保護具１は、保護用袋４とサドル２とを接着剤により接着しているため、保護用袋４が緩むのを防止することができる。
【符号の説明】
【００４８】
１は甲形分水栓用保護具
２はサドル
２ａは円弧部
２ｂはフランジ部
２ｃは台座部
２ｄは環状の段部
２ｅは雌ネジ
２ｆは取り付け穴
３はバンド
３ａは円弧部
３ｂはフランジ部
３ｃは取り付け穴
３ｄは突起部
４は保護用袋
４ａは保護用袋の下端部の雄ネジ
４ｂは保護用袋の上端部の雄ネジ
５は緊締具
５ａはボルト
５ｂはナット
６はサドル用パッキン
７は閉栓キャップ
７ａは雌ネジ
８はキャップ用パッキン
９は絶縁体
１０はＯリング
１１は座金
【図１】
0006602597.tif 000002
【図２】
0006602597.tif 000003
【図３】
0006602597.tif 000004
【図４】
0006602597.tif 000005
【図５】
0006602597.tif 000006
【図６】
0006602597.tif 000007
【図７】
0006602597.tif 000008
【図８】
0006602597.tif 000009